(57)【要約】【課題】通路切替用の切替弁を動作する専用の駆動源を不要とした弾球遊技機の球払出装置を提供する。【解決手段】第１ギア６および第１ワンウェイクラッチ７を有する第１の動力伝達経路８をモータ５と弁切替機構１５との間に介設し、リードスクリュー４に連結した第２の動力伝達経路１１中に第１ワンウェイクラッチ７にギア結合する第２ワンウェイクラッチ１０とその下流側に位置する第２ギア９とを設けると共に、第３の動力伝達経路１４中に第１ギア６に噛合する第３ギア１２と第２ギア９に噛合する第３ワンウェイクラッチ１３とを設け、モータ５の回転方向に応じて通路切替用の切替弁１８を選択的に動作させると共に、モータ５の回転方向に拘わらずリードスクリュー４を一方向へ回転させるようにした。【選択図】図２
2010051705.tif 000002
【特許請求の範囲】
【請求項１】
貯留タンク内に貯留された遊技球を１個ずつ払い出すリードスクリューと、前記貯留タンクから払い出された遊技球を払出通路と球抜き通路のいずれか一方に振り分ける切替弁と、この切替弁を制御する弁切替機構と、前記リードスクリューおよび前記弁切替機構を駆動するモータと、第１ワンウェイクラッチを有する第１の動力伝達経路と、第２ワンウェイクラッチを有する第２の動力伝達経路と、第３ワンウェイクラッチを有する第３の動力伝達経路とを備え、
前記第１の動力伝達経路を前記モータと前記弁切替機構との間に介設し、前記第２の動力伝達経路の一端を前記第１ワンウェイクラッチよりも下流側の前記第１の動力伝達経路にギア結合すると共に、該第２の動力伝達経路の他端を前記リードスクリューに連結し、かつ、前記第３の動力伝達経路の両端を前記第１ワンウェイクラッチよりも上流側の前記第１の動力伝達経路と前記第２ワンウェイクラッチよりも下流側の前記第２の動力伝達経路とにそれぞれギア結合したことを特徴とする弾球遊技機の球払出装置。
【発明の詳細な説明】
【技術分野】
【０００１】
本発明は、貯留タンク内に貯留された遊技球をリードスクリューの回転によって払い出す弾球遊技機の球払出装置に係り、特に、貯留タンクから払い出された遊技球を払出通路と球抜き通路のいずれか一方に振り分ける通路切替機構に関するものである。
【背景技術】
【０００２】
パチンコ機に代表される弾球遊技機には貯留タンク内に貯留された遊技球を払い出すための球払出装置が備えられており、このような球払出装置の従来例として、貯留タンクの内底部に配設したリードスクリューをモータを駆動源として一方向へ回転することにより、遊技球をリードスクリューの外周面に沿って１個ずつ払い出すようにしたものが知られている（例えば、特許文献１参照）。
【０００３】
かかる従来の球払出装置には、貯留タンクから払い出された遊技球を賞球として誘導する払出通路と、貯留タンクから払い出された遊技球を抜球として誘導する球抜き通路とが設けられており、これら払出通路と球抜き通路の分岐部に切替弁が配設されている。この切替弁はソレノイドを駆動源として動作され、通常の球払出し時はソレノイドへの電力供給が遮断されることにより、切替弁は球抜き通路を閉じて払出通路を開く位置に保持されている。そして、貯留タンク内に貯留された遊技球を外部に排出する場合、ソレノイドへ電力が供給されることにより、切替弁は払出通路を閉じて球抜き通路を開く位置へ回動する。
【特許文献１】特開２００７−１７５３１６号公報
【発明の開示】
【発明が解決しようとする課題】
【０００４】
前述したように、特許文献１に開示された従来の球払出装置では、貯留タンク内に貯留された遊技球を外部に排出する球抜き時に、ソレノイドへの通電によって切替弁を自動的に切替動作することができるため、切替弁を手動操作する場合に比べて操作性を著しく高めることができる。しかしながら、その反面、切替弁の駆動源として高価なソレノイドを必要とするため、球払出装置のトータルコストが上昇するという難点があった。
【０００５】
本発明は、このような従来技術の実情に鑑みてなされたもので、その目的は、通路切替用の切替弁を動作する専用の駆動源を不要とした弾球遊技機の球払出装置を提供することにある。
【課題を解決するための手段】
【０００６】
上記の目的を達成するために、本発明による弾球遊技機の球払出装置は、貯留タンク内に貯留された遊技球を１個ずつ払い出すリードスクリューと、前記貯留タンクから払い出された遊技球を払出通路と球抜き通路のいずれか一方に振り分ける切替弁と、この切替弁を制御する弁切替機構と、前記リードスクリューおよび前記弁切替機構を駆動するモータと、第１ワンウェイクラッチを有する第１の動力伝達経路と、第２ワンウェイクラッチを有する第２の動力伝達経路と、第３ワンウェイクラッチを有する第３の動力伝達経路とを備え、前記第１の動力伝達経路を前記モータと前記弁切替機構との間に介設し、前記第２の動力伝達経路の一端を前記第１ワンウェイクラッチよりも下流側の前記第１の動力伝達経路にギア結合すると共に、該第２の動力伝達経路の他端を前記リードスクリューに連結し、かつ、前記第３の動力伝達経路の両端を前記第１ワンウェイクラッチよりも上流側の前記第１の動力伝達経路と前記第２ワンウェイクラッチよりも下流側の前記第２の動力伝達経路とにそれぞれギア結合する構成とした。
【０００７】
このように構成された弾球遊技機の球払出装置において、モータが一方向へ回転（例えば正転）すると、その回転が第１の動力伝達経路から第３の動力伝達経路を介して第２の動力伝達経路へ伝達されるため、第２の動力伝達経路に連結されたリードスクリューがモータと同方向（正転方向）へ回転する。このとき、第１の動力伝達経路から弁切替機構と第２の動力伝達経路への回転伝達は第１ワンウェイクラッチで遮断されているため、弁切替機構は切替弁の切替動作を行わず、切替弁は球抜き通路を閉じて払出通路を開く位置に維持する。一方、モータが他方向へ回転（逆転）すると、その回転が第１ワンウェイクラッチを経て第１の動力伝達経路から弁切替機構へ伝達されるため、切替弁が払出通路を閉じて球抜き通路を開く位置に切替動作される。また、モータの他方向への回転が第１ワンウェイクラッチを経て第１の動力伝達経路から第２の動力伝達経路へ伝達された後、第２ワンウェイクラッチを経てリードスクリューへ伝達されるため、リードスクリューがモータと逆方向（すなわち正転方向）へ回転する。この場合、モータの他方向への回転は第１の動力伝達経路から第３の動力伝達経路へ伝達されるが、第３の動力伝達経路から第２の動力伝達経路への回転伝達は第３ワンウェイクラッチで遮断される。このようにモータの回転方向に応じて通路切替用の切替弁を選択的に動作させることができると共に、モータの回転方向に拘わらずリードスクリューを同一方向へ回転させることができるため、切替弁を動作させる専用の駆動源（ソレノイド等）が不要となり、安価な弾球遊技機の球払出装置を実現することができる。
【発明の効果】
【０００８】
本発明による弾球遊技機の球払出装置は、モータと弁切替機構との間に第１ワンウェイクラッチを有する第１の動力伝達経路を介設し、第２ワンウェイクラッチを有する第２の動力伝達経路の一端を第１ワンウェイクラッチよりも下流側の第１の動力伝達経路にギア結合すると共に、該第２の動力伝達経路の他端をリードスクリューに連結し、かつ、第３ワンウェイクラッチを有する第３の動力伝達経路の両端を第１ワンウェイクラッチよりも上流側の第１の動力伝達経路と第２ワンウェイクラッチよりも下流側の第２の動力伝達経路とにそれぞれギア結合したので、モータの回転方向に応じて通路切替用の切替弁を選択的に動作させることができると共に、モータの回転方向に拘わらずリードスクリューを同一方向へ回転させることができる。したがって、切替弁を動作させるソレノイド等の専用の駆動源が不要となり、安価な弾球遊技機の球払出装置を実現することができる。
【発明を実施するための最良の形態】
【０００９】
発明の実施の形態について図面を参照して説明すると、図１は本発明の実施形態例に係る弾球遊技機の球払出装置を示す斜視図、図２は該球払出装置に備えられる動力伝達機構の説明図、図３は該動力伝達機構の球払出し時における伝達経路を示す説明図、図４は該動力伝達機構の球抜き時における伝達経路を示す説明図、図５は該球払出装置に備えられる弁切替機構の説明図、図６は該弁切替機構の球払出し時における動作説明図、図７は該弁切替機構の球抜き時における動作説明図である。
【００１０】
図１に示すように、本実施形態例に係る弾球遊技機の球払出装置１は、上面を開放した長方形箱型構造の貯留タンク２と、貯留タンク２の一側面に一体化された駆動ユニット３とによって主に構成されており、これら貯留タンク２と駆動ユニット３は図示せぬ弾球遊技機の裏面上部に配設されている。貯留タンク２内には遊技場の島設備から供給される遊技球が逐次補充されるようになっており、貯留タンク２の内底面にはリードスクリュー４が配設されている。リードスクリュー４の外周面には螺旋状溝４ａが形成されており、このリードスクリュー４を後述するモータを駆動源として一方向へ回転することにより、貯留タンク２内に貯留された遊技球が螺旋状溝４ａに沿って図示せぬ導出口から１個ずつ払い出されるようになっている。
【００１１】
図２に示すように、駆動ユニット３の内部には駆動源であるモータ５が配設されると共に、第１ギア６および第１ワンウェイクラッチ７を有する第１の動力伝達経路８と、第２ギア９および第２ワンウェイクラッチ１０を有する第２の動力伝達経路１１と、第３ギア１２および第３ワンウェイクラッチ１３を有する第３の動力伝達経路１４とが設けられている。第１の動力伝達経路８の第１ギア６はモータ５の回転軸に連結されており、第１ワンウェイクラッチ７は第１ギア６の下流側に同軸配置されている。第１ワンウェイクラッチ７は一方向にだけ回転力を伝えて他方向には空転する公知のクラッチであり、例えば二重構造のリングの内輪を鋸歯形状とし、この内輪と外輪との間にばねで付勢されたラチェットを介設した構成となっている。第１ワンウェイクラッチ７の外輪は外周面に歯部を有するギアとなっており、第１ワンウェイクラッチ７の外輪は後述する弁切替機構１５に連結されている。
【００１２】
第２の動力伝達経路１１の第２ギア９は第２ワンウェイクラッチ１０の下流側に同軸配置されており、この第２ギア９の下流側に前述したリードスクリュー４が連結されている。第２ワンウェイクラッチ１０は第１ワンウェイクラッチ７と同様に構成されており、この第２ワンウェイクラッチ１０の外輪は第１ワンウェイクラッチ７の外輪と噛合している。第３の動力伝達経路１４の第３ギア１２は第１ギア６と噛合しており、第３ワンウェイクラッチ１３は第３ギア１２の下流側に同軸配置されている。この第３ワンウェイクラッチ１３も第１および第２ワンウェイクラッチ７，１０と同様に構成されており、第３ワンウェイクラッチ１３の外輪は第２ギア９と噛合している。
【００１３】
図５に示すように、駆動ユニット３の内部には払出通路１６と球抜き通路１７が設けられており、これら払出通路１６と球抜き通路１７は貯留タンク２の前記導出口に連通している。また、払出通路１６と球抜き通路１７の上端には一対の切替弁１８が回動可能に設けられており、これら切替弁１８は開閉リンク１９の昇降動作に伴って払出通路１６と球抜き通路１７のいずれか一方を閉じる位置に回動する。開閉リンク１９には矩形状のカム孔１９ａが設けられており、このカム孔１９ａに挿入された楕円形状のカム体２０が回転することにより、開閉リンク１９が昇降動作するようになっている。このカム体２０は第１の動力伝達経路８の出力軸に連結されており、これら開閉リンク１９とカム体２０によって前述した弁切替機構１５が構成されている。
【００１４】
このように構成された球払出装置１においては、通常の球払出し時にモータ５は一方向へ回転（以下、この方向を正回転とする）されるが、球抜き時にモータ５は他方向へ回転（逆回転）される。
【００１５】
まず、球払出し動作について説明すると、図３のハッチングで示すように、モータ５の正回転が第１ギア６との噛合部分を介して第３ギア１２の逆回転へ伝達された後、この逆回転が第３ワンウェイクラッチ１３の内輪に入力されるため、第３ワンウェイクラッチ１３の外輪が逆回転する。そして、第３ワンウェイクラッチ１３の外輪と噛合する第２ギア９が正回転するため、第２の動力伝達経路１１の出力軸に連結されたリードスクリュー４がモータ５と同方向へ正回転する。これにより貯留タンク２内に貯留された遊技球Ｐが、リードスクリュー４の螺旋状溝４ａに沿って順次移送されて駆動ユニット３側へ１個ずつ払い出される。その際、第１ワンウェイクラッチ７の内輪には第１ギア６の出力軸から正回転が入力され、第１ワンウェイクラッチ７はモータ５の回転力を下流側へ伝達しないため、第１ワンウェイクラッチ７の外輪は無回転状態となっている。また、この第１ワンウェイクラッチ７にギア結合された第２ワンウェイクラッチ１０について見ると、内輪が第２ギア９の回転に伴って正回転するだけで外輪は回転しないため、第１ワンウェイクラッチ７の外輪と噛合する第２ワンウェイクラッチ１０の外輪も無回転状態となっている。さらに、モータ５の回転力が第１ワンウェイクラッチ７で遮断されて弁切替機構１５に伝達されないため、図６に示すように、弁切替機構１５のカム体２０は回転せず、開閉リンク１９は下降位置にあって切替弁１８を起立姿勢に保持する。その結果、切替弁１８は球抜き通路１７を閉じて払出通路１６を開く位置に維持されるため、リードスクリュー４の回転に伴って貯留タンク２から順次払い出された遊技球Ｐは、切替弁１８によって払出通路１６側へと振り分けられ後、この払出通路１６に誘導されて最終的には弾球遊技機の前面下部に設けられた図示せぬ受け皿内に払い出される。
【００１６】
次に、球抜き動作について説明する。この場合、弾球遊技機の裏面側の適宜位置に配設された図示せぬスイッチを投入してモータ５を逆回転させると、図４のハッチングで示すように、モータ５の逆回転が第１ギア６の出力軸から第１ワンウェイクラッチ７の内輪に入力されるため、第１ワンウェイクラッチ７はモータ５の逆回転を内輪から外輪へと伝える。これにより、第１ワンウェイクラッチ７の外輪と噛合する第２ワンウェイクラッチ１０の外輪が正回転し、その回転力が第２ワンウェイクラッチ１０の内輪を介して第２の動力伝達経路１１に伝達されるため、第２ワンウェイクラッチ１０の下流側に設けられた第２ギア９とリードスクリュー４が正回転する。このとき、逆回転中の第１ギア６と噛合している第３ギア１２は正回転し、その正回転が第３ワンウェイクラッチ１３の内輪に入力されるため、第３ワンウェイクラッチ１３は第３の動力伝達経路１４の正回転を遮断して第２ギア９へと伝達せず、第２ギア９と噛合する第３ワンウェイクラッチ１３の外輪は内輪の正回転に影響を及ぼすことなく逆回転する。すなわち、モータ５を逆回転させる球抜き時もリードスクリュー４は正回転するため、前述した球払出し時と同様に、貯留タンク２内に貯留された遊技球Ｐがリードスクリュー４の螺旋状溝４ａに沿って順次移送されて駆動ユニット３側へ１個ずつ払い出される。
【００１７】
また、前述したようにモータ５の逆回転が第１ワンウェイクラッチ７の内輪から外輪へ伝えられると、その逆回転が第１の動力伝達経路８の下流側に連結された弁切替機構１５に伝達されるため、図７に示すように、第１の動力伝達経路８の出力軸に連結されたカム体２０が矢印Ａ方向へ回転する。この場合、まず、カム体２０が矢印Ａ方向へ９０度回転する間に開閉リンク１９が矢印Ｂ１方向へ上昇し、それに伴って切替弁１８が矢印Ｃ１方向へ回動して起立姿勢から水平姿勢になるため、それまで閉じていた球抜き通路１７が開いて払出通路１６が閉じる。そして、切替弁１８が払出通路１６を閉じる位置まで回動する直前に、リードスクリュー４の螺旋状溝４ａに沿って貯留タンク２から遊技球Ｐが払い出されるようにタイミングを設定すると、この遊技球Ｐは切替弁１８によって球抜き通路１７側へ振り分けられ後、この球抜き通路１７に誘導されて最終的には弾球遊技機の外部へ排出される。なお、カム体２０が矢印Ａ方向へさらに９０度回転すると、その間に開閉リンク１９が矢印Ｂ２方向へ下降して切替弁１８を矢印Ｃ２方向へ回動させるため、再び払出通路１６が開いて球抜き通路１７が閉じた状態となり、以後、カム体２０が矢印Ａ方向へ半回転（１８０度回転）する度に１個の遊技球Ｐが球抜き通路１７に導かれることとなる。
【００１８】
以上説明したように、本実施形態例に係る弾球遊技機の球払出装置１は、第１ギア６および第１ワンウェイクラッチ７を有する第１の動力伝達経路８をモータ５と弁切替機構１５との間に介設し、第２ギア９および第２ワンウェイクラッチ１０を有する第２の動力伝達経路１１のうち、上流側に設けられた第２ワンウェイクラッチ１０の外輪と第１ワンウェイクラッチ７の外輪とをギア結合すると共に、第２ギア９よりも下流側をリードスクリュー４に連結し、かつ、第３ギア１２および第３ワンウェイクラッチ１３を有する第３の動力伝達経路１４のうち、上流側の第３ギア１２を第１ギア６に噛合して下流側の第３ワンウェイクラッチ１３の外輪と第２ギア９とを噛合させたので、モータ５の回転方向（正回転または逆回転）に応じて通路切替用の切替弁１８を選択的に動作させることができると共に、モータ５の回転方向に拘わらずリードスクリュー４を同一方向へ回転させることができる。したがって、切替弁１８を動作させるソレノイド等の専用の駆動源が不要となり、安価な弾球遊技機の球払出装置を実現することができる。
【００１９】
なお、上記実施形態例では、第１乃至第３ワンウェイクラッチ７，１０，１３の構成部材である外輪の外周面に歯部を刻設し、この外輪を相手側ワンウェイクラッチの外輪やギアに噛合させることにより、第１乃至第３の動力伝達経路８，１１，１４間をギア結合した場合について説明したが、第１乃至第３ワンウェイクラッチ７，１０，１３から離れた部位で各動力伝達経路８，１１，１４間をギア結合することも可能である。例えば、第１ワンウェイクラッチ７よりも下流側に位置する第１の動力伝達経路８中に別のギアを配設し、このギアを第２ワンウェイクラッチ１０の外輪に刻設した歯部と噛合させても良い。あるいは、第３ワンウェイクラッチ１３よりも下流側に位置する第３の動力伝達経路１４中に別のギアを配設し、このギアを第２の動力伝達経路１１の第２ギア９と噛合させても良い。
【図面の簡単な説明】
【００２０】
【図１】本発明の実施形態例に係る弾球遊技機の球払出装置を示す斜視図である。
【図２】該球払出装置に備えられる動力伝達機構の説明図である。
【図３】該動力伝達機構の球払出し時における伝達経路を示す説明図である。
【図４】該動力伝達機構の球抜き時における伝達経路を示す説明図である。
【図５】該球払出装置に備えられる弁切替機構の説明図である。
【図６】該弁切替機構の球払出し時における動作説明図である。
【図７】該弁切替機構の球抜き時における動作説明図である。
【符号の説明】
【００２１】
１  球払出装置
２  貯留タンク
３  駆動ユニット
４  リードスクリュー
４ａ  は螺旋状溝
５  モータ
６  第１ギア
７  第１ワンウェイクラッチ
８  第１の動力伝達経路
９  第２ギア
１０  第２ワンウェイクラッチ
１１  第２の動力伝達経路
１２  第３ギア
１３  第３ワンウェイクラッチ
１４  第３の動力伝達経路
１５  弁切替機構
１６  払出通路
１７  球抜き通路
１８  切替弁
１９  開閉リンク
１９ａ  カム孔
２０  カム体
【図１】
2010051705.tif 000003
【図２】
2010051705.tif 000004
【図３】
2010051705.tif 000005
【図４】
2010051705.tif 000006
【図５】
2010051705.tif 000007
【図６】
2010051705.tif 000008
【図７】
2010051705.tif 000009